(57)【要約】      （修正有）【課題】従来のリニアガイドステージのリターンガイド構造を提供する。【解決手段】スライドレール１０とスライドブロック２０と、少なくとも二つのリターンチューブ３０と二つのリターンキャップ４０とを含む。スライドブロックの底部中央にスライドガイド２１が設けられ、スライドブロックはスライドガイドを跨いでスライドレールに載置され、スライドガイドとスライドレールの両側との間にそれぞれ少なくとも一つのボールガイド５１が設けられ、また上述のボールガイドに複数のボール５０が設けられる。それぞれのボールガイドの外側にスライドブロックの同じ側のボールガイドとそれぞれ互いに合わせた数のリターンガイド２２が設けられ、かつ直線状リターンガイドはスライドブロックの前端面と後端面を貫通する。リターンチューブの内管部に複数の螺旋模様３１が突出され、螺旋模様は割り切れない奇数個に設置され、ボールがリターンチューブを通過する時に螺旋模様に連動されて特定の角度の側方向反転が生じる。【選択図】図２
0003223497.tif 000002
【実用新案登録請求の範囲】
【請求項１】
スライドレールと、スライドブロックと、二つのリターンチューブと、二つのリターンキャップとを含むリニアガイドステージのリターンガイド構造であって、
前記スライドブロックの底部中央にスライドガイドが設けられ、前記スライドブロックは前記スライドガイドを跨いで前記スライドレールに載置され、前記スライドガイドとスライドレールの両側との間にそれぞれ少なくとも一つのボールガイドが設けられ、また前記ボールガイドに複数のボールが設けられることで、前記スライドブロックが前記ボールによって前記スライドレール上で往復変位でき、それぞれの前記ボールガイドの外側の前記スライドブロックにおいて同じ側のボールガイドと同じ数量の直線状リターンガイドが設けられ、前記直線状リターンガイドは同時に前記スライドブロックの前端面と後端面を貫通し、
リターンチューブの内管部に複数の螺旋模様が突出され、前記螺旋模様は割り切れない奇数個に設置されることで、前記ボールが前記リターンチューブを通過する時に前記螺旋模様に連動されて特定の角度の側方向反転が生じ、また前記リターンチューブは前記リターンガイドの中に穿設され、
二つのリターンキャップはそれぞれ前記スライドブロックの前端面と後端面に設けられ、カーブ状の回転溝が設けられる内側面と連接導通することで、前記複数のボールが前記ボールガイドとリターンチューブとの間で回流循環して転がることを特徴とするリニアガイドステージのリターンガイド構造。
【請求項２】
前記スライドガイドとスライドレールの両側との間にそれぞれ二つのボールガイドが設けられ、前記リターンガイド、リターンチューブ、回転溝は側面ごとにある二つのボールガイドに対して同じ数量の設置ができることを特徴とする請求項１のリニアガイドステージのリターンガイド構造。
【請求項３】
前記リターンチューブは摩損に強いプラスチック管であることを特徴とする請求項１のリニアガイドステージのリターンガイド構造。
【請求項４】
前記リターンチューブの内管部に３本の螺旋模様が設けられることを特徴とする請求項１のリニアガイドステージのリターンガイド構造。
【請求項５】
前記リターンチューブの内管部に５本の螺旋模様が設けられることを特徴とする請求項１のリニアガイドステージのリターンガイド構造。
【請求項６】
前記リターンチューブの内管部に７本の螺旋模様が設けられることを特徴とする請求項１のリニアガイドステージのリターンガイド構造。
【請求項７】
前記二つのリターンキャップの外側にはそれぞれ摩擦片が結合されることを特徴とする請求項１のリニアガイドステージのリターンガイド構造。
【請求項８】
前記スライドレールとスライドブロックとの間に上保持器が設けられることを特徴とする請求項１のリニアガイドステージのリターンガイド構造。
【考案の詳細な説明】
【技術分野】
【０００１】
本考案は寿命が長く、騒音または雑音が生じることを防げるリニアガイドステージのリターンガイド構造に関する。
【背景技術】
【０００２】
リニアガイドステージは主に直線的に往復運動する場合に用いられ、高い負荷の状況において高精度の直線運動が実現できる。リニアガイドステージの機能は運動部材（ベッド）を支えたり、または誘導したりするためであり、上述の運動部材は予定の方向に沿って往復直線変位できる。またリニアガイドステージの摩擦方式は回転摩擦のため、摩擦係数は従来のスライドガイドの約１/５０に低減できるだけでなく、動的摩擦力と静的摩擦力の差が縮められる。
【０００３】
現在のリニアガイドステージは主にスライドレールとスライドブロックを含み、スライドブロックの底部中央にスライドガイドが設置され、上述のスライドブロックはスライドガイドを跨いでスライドレールに載置され、スライドガイドとスライドレールとの間にボールが循環運動できる多数のボールのボールガイドとリターンガイドが設置されることで、上述のボールの転がりによって上述のスライドブロックとスライドレールの間の摩擦力が最低限に下げられる。
【０００４】
しかし、上述したような従来構造は実際に応用する時に以下の問題がある。（一）上述のリニアガイドステージが作業する時に、上述のボールは上述の運動部材の運動方向に沿って一つ一つ連続して押されて進むため、リターンする途中でリターンガイドの影響を受けて側方向の反転ができず、上述のボールの負荷は一点に集中することで、使用寿命が縮む。（二）上述のリターンガイドのコーナーの外径は上述のボールより大きく、上述のボールがリターンする時、該リターンガイドとボールとの間で上述のボールが左右にずれ、また上述のボールのボール径が偏心するような隙間が形成され、該偏心は上述のボールが押されて進む時に不規則な運動に変化することで、上述のボールに異なる速度が生じるため、うるさい騒音が発生する。
【０００５】
従って、上述のような従来のリニアガイドステージにおける欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００６】
従来のリニアガイドステージは耐用性が悪い上、上述のボールがリターンする時にうるさい騒音が発生するという上述の欠点について解決し、リニアガイドステージのリターンガイド構造を提供する。
【課題を解決するための手段】
【０００７】
リニアガイドステージのリターンガイド構造は、スライドレールと、スライドブロックと、少なくとも二つのリターンチューブと二つのリターンキャップとを含む。そして、スライドブロックの底部中央にスライドガイドが設けられ、上述のスライドブロックは上述のスライドガイドを跨いで上述のスライドレールに載置され、上述のスライドガイドとスライドレールの両側との間にそれぞれ少なくとも一つのボールガイドが設けられる。また上述のボールガイドに複数のボールが設置されることで、上述のスライドブロックが上述のボールによって上述のスライドレールに対して往復変位できる。それぞれの上述のボールガイドの外側に上述のスライドブロックの同じ側のボールガイドとそれぞれ互いに合わせた数のリターンガイドが設けられ、かつ直線状リターンガイドは上述のスライドブロックの前端面と後端面を貫通する。リターンチューブの内管部に複数の螺旋模様が突出され、該螺旋模様は割り切れない奇数個に設置されることで、上述のボールが上述のリターンチューブを通過する時に上述の螺旋模様に連動されて特定の角度の側方向反転が生じる。また該リターンチューブは上述のリターンガイドの中に穿設され、二つのリターンキャップはそれぞれ上述のスライドブロックの前端面と後端面に設けられ、カーブ状の回転溝が設けられる内側面と連接導通することで、上述の複数のボールが上述のボールガイドとリターンチューブとの間で回流循環して転がる。これによって、該リニアガイドステージのリターンガイド構造が構成される。
【０００８】
本発明のリニアガイドステージのリターンガイド構造は、上述のボールは上述のリターンチューブの無負荷状態で運動する時、上述のボールが上述の螺旋模様の連動、導引によって自動的に特定の角度の側方向反転が生じるため、上述のボールが上述のボールガイドに回流して負荷を受ける時、特定の部位だけに力を受けることなく、上述のボールが力を受ける部分が変形することが避けられるため、上述のリニアガイドステージの使用寿命を有効に延長できる。上述の螺旋模様が割り切れない奇数個に設置される設計であるため、上述のボールが側方向に反転した後に元の位置に回転することを防止できる。或いは特定の上、下二点または上、下、左、右の四点順番に循環して繰り返して力を受ける。また、上述のボールは外径が大きい回転溝から上述のリターンチューブ内に回転しながら入る時、上述のボールが押し合う過程において、自然に螺旋運動をして同心状に並ぶことで、上述のボールが同じ速度によって規則的に運動できるため、うるさい騒音又は雑音が避けられる。
【図面の簡単な説明】
【０００９】
【図１】図１は、本考案に係るリニアガイドステージのリターンガイド構造を示す立体組立図である。
【図２】図２は、本考案に係るリニアガイドステージのリターンガイド構造を示す立体分解図である。
【図３】図３は、本考案に係るリニアガイドステージのリターンガイド構造を示す組立平面図である。
【図４】図４は、本考案の図３のＡ−Ａ断面図である。
【図５】図５は、本考案の図３のＢ−Ｂ断面図である。
【図６】図６は、本考案の図５の断面図である。
【図７】図７は、本考案のリターンチューブの第一の好ましい実施例の断面図である。
【図８】図８は、本考案のリターンチューブの第二の好ましい実施例の断面図である。
【図９】図９は、本考案のリターンチューブの第三の好ましい実施例の断面図である。
【図１０】図１０は、本考案のボール（一つだけで示す）がリターンチューブ中で螺旋模様の連動によって側方向に反転する動きを示す図である。
【考案を実施するための形態】
【００１０】
まず、図１から図６を参照されたい。スライドレール（１０）と、スライドブロック（２０）と、少なくとも二つのリターンチューブ（３０）と二つのリターンキャップ（４０）とを含む。そして、スライドブロック（２０）の底部中央にスライドガイド（２１）が設けられ、上述のスライドブロック（２０）は上述のスライドガイド（２１）を跨いで上述のスライドレール（１０）に載置され、上述のスライドガイド（２１）とスライドレール（１０）の両側との間にそれぞれ少なくとも一つのボールガイド（５１）が設けられる。また上述のボールガイド（５１）に複数のボール（５０）が設置されることで、上述のスライドブロック（２０）が上述のボール（５０）によって上述のスライドレール（１０）上で往復変位できる。それぞれの上述のボールガイド（５１）の外側に上述のスライドブロック（２０）の同じ側のボールガイド（５１）とそれぞれ互いに合わせた数のリターンガイド（２２）が設けられ、かつ直線状リターンガイド（２２）は上述のスライドブロック（２０）の前端面と後端面を貫通する。リターンチューブ（３０）の内管部に複数の螺旋模様（３１）が突出され、該螺旋模様（３１）は割り切れない奇数個に設置されることで、上述のボール（５０）が上述のリターンチューブ（３０）を通過する時に上述の螺旋模様（３１）に連動されて特定の角度の側方向反転が生じる。また該リターンチューブ（３０）は上述のリターンガイド（２２）の中に穿設され、二つのリターンキャップ（４０）はそれぞれ上述のスライドブロック（２０）の前端面と後端面に設けられ、カーブ状の回転溝（４１）が設けられる内側面と連接導通することで、上述の複数のボール（５０）が上述のボールガイド（５１）とリターンチューブ（３０）との間で回流循環して転がる。
【００１１】
上述のスライドガイド（２１）とスライドレール（１０）の両側との間にそれぞれ二つのボールガイド（５１）が設けられ、上述のリターンガイド（２２）、リターンチューブ（３０）、回転溝（４１）は側面ごとにある二つのボールガイド（５１）に対して同じ数の設置ができる。
【００１２】
上述のリターンチューブ（３０）は摩損に強いプラスチック管である。
【００１３】
上述のリターンチューブ（３０）の内管部に３本の螺旋模様（３１）が設けられる（あわせて図１から図７を参照されたい）。
【００１４】
上述のリターンチューブ（３０）の内管部に５本の螺旋模様（３１）が設けられる（あわせて図８を参照されたい）。
【００１５】
上述のリターンチューブ（３０）の内管部に７本の螺旋模様（３１）が設けられる（あわせて図９を参照されたい）。
【００１６】
上述の二つのリターンキャップ（４０）の外側にはそれぞれ摩擦片（６０）が結合される。
【００１７】
上述のスライドレール（１０）とスライドブロック（２０）との間に上保持器（７０）が設けられる。
【００１８】
上述の構造によって、上述のボール（５０）は上述のリターンチューブ（３０）の無負荷状態で運動する時、上述のボール（５０）が上述の螺旋模様（３１）の連動、導引によって自動的に特定の角度の側方向反転が生じるため（あわせて図１０を参照されたい）、上述のボール（５０）が上述のボールガイド（５１）に回流して負荷を受ける時、特定の部位（一点）だけに力を受けることなく、上述のボール（５０）は常に力を受ける部分が変形することが避けられるため、上述のリニアガイドステージの使用寿命が有効に延長できる。上述の螺旋模様（３１）が割り切れない奇数個に設置される設計であるため、上述のボール（５０）が側方向に反転した後に元の位置に回転することを防止できる。或いは特定の上、下二点または上、下、左、右の四点順番に循環して繰り返して力を受ける。また、上述のボール（５０）は外径が大きい回転溝（４１）から上述のリターンチューブ（３０）内に回転しながら入る時、上述のボール（５０）が押し合う過程において、自然に螺旋して同心状に並ぶことで、上述のボール（５０）が同じ速度によって規則的に運動できるため、うるさい騒音又は雑音が避けられる。
【００１９】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２０】
本考案：
１０              スライドレール
２０              スライドブロック
２１              スライドガイド
２２              リターンガイド
３０              リターンチューブ
３１              螺旋模様
４０              リターンキャップ
４１              回転溝
５０              ボール
５１              ボールガイド
６０              摩擦片
７０              上保持器
【図１】
0003223497.tif 000003
【図２】
0003223497.tif 000004
【図３】
0003223497.tif 000005
【図４】
0003223497.tif 000006
【図５】
0003223497.tif 000007
【図６】
0003223497.tif 000008
【図７】
0003223497.tif 000009
【図８】
0003223497.tif 000010
【図９】
0003223497.tif 000011
【図１０】
0003223497.tif 000012